【手続補正書】
【提出日】平成17年8月11日(2005.8.11)
【手続補正１】
【補正対象書類名】明細書
【補正対象項目名】発明の名称
【補正方法】変更
【補正の内容】
【発明の名称】売買注文自動発注装置及び売買注文の自動発注方法
【手続補正２】
【補正対象書類名】明細書
【補正対象項目名】特許請求の範囲
【補正方法】変更
【補正の内容】
【特許請求の範囲】
【請求項１】
顧客から受け付けた売買条件に従って、金融商品の売買注文を前記金融商品の取引市場システムに自動発注するための売買注文自動発注装置であって、
前記売買注文自動発注装置は、前記顧客が操作する顧客端末とコンピュータネットワークを通じて接続され、かつ前記売買注文を前記取引市場システムに発注する売買システム及び前記売買注文にかかる注文伝票の内容を含む前記売買注文に関する情報を記憶した発注データベースと接続されていて、
前記顧客端末に表示された前記売買条件の入力画面において前記売買注文に関する必要項目として入力された、注文する金融商品の銘柄を特定する銘柄情報、注文を希望する数量として指定された注文数量、指値又は成行のいずれかの注文形態と指値を指定した場合の注文価格、が少なくとも含まれる注文内容と、前記注文入力画面において前記売買注文の発注要求の発生要因として入力された、前記金融商品の価格、時間、の少なくとも一つが指定された注文条件と、を受け付ける注文情報受付手段と、
前記注文情報受付手段が受け付けた注文内容から注文伝票を作成し、前記注文伝票の内容を前記発注データベースに記憶させるために前記売買システムに送出する注文伝票送出手段と、
前記注文情報受付手段が受け付けた注文条件を、前記価格又は前記時間の少なくとも一つの条件項目を指定したトリガとして記憶するトリガ記憶手段と、
前記トリガ記憶手段にトリガとして指定された条件項目を監視して、前記条件項目が前記トリガに合致したと判定すると、前記売買システムに対して、前記発注データベースに記憶された前記トリガに対応する売買注文に関する情報に付された発注処理待機のステイタスを発注処理可のステイタスに変更するための指示信号を送出する発注処理指示手段と、
を備えていて、
前記売買システムは、前記注文伝票送出手段から受け付けた注文伝票の内容に発注処理待機のステイタスを付した前記売買注文に関する情報を前記発注データベースに記憶させ、かつ、前記売買システムは、前記発注データベースに記憶された売買注文に関する情報のうち、発注処理待機のステイタスが発注処理可のステイタスに変更された売買注文にかかる注文伝票の内容を前記発注データベースから読み出して、前記注文伝票の内容に基づく売買注文を前記取引市場システムに発注すること
を特徴とする売買注文自動発注装置。
【請求項２】
顧客から受け付けた売買条件に従って、金融商品の売買注文を前記金融商品の取引市場システムに自動発注するための売買注文の自動発注方法であって、
前記売買注文の自動発注を制御する売買注文自動発注装置は、前記顧客が操作する顧客端末とコンピュータネットワークを通じて接続され、かつ前記売買注文を前記取引市場システムに発注する売買システム及び前記売買注文にかかる注文伝票の内容を含む前記売買注文に関する情報を記憶した発注データベースと接続されていて、
前記顧客端末が、前記売買条件の入力画面において前記売買注文に関する必要項目として、注文する金融商品の銘柄を特定する銘柄情報、注文を希望する数量として指定された注文数量、指値又は成行のいずれかの注文形態と指値を指定した場合の注文価格、が少なくとも含まれる注文内容の入力と、前記注文入力画面において前記売買注文の発注要求の発生要因として、前記金融商品の価格、時間、の少なくとも一つが指定された注文条件の入力と、を受け付ける注文情報入力ステップと、
前記売買注文自動発注装置が、前記コンピュータネットワークを介して、前記顧客端末より前記注文内容と、前記注文条件と、を受け付ける注文情報受付ステップと、
前記売買注文自動発注装置が、前記注文情報受付ステップで受け付けた注文内容から注文伝票を作成し、前記注文伝票の内容を前記発注データベースに記憶させるために前記売買システムに送出する注文伝票送出ステップと、
前記売買システムが、前記注文伝票送出ステップで送出された注文伝票の内容を受け付けて、前記注文伝票の内容に発注処理待機のステイタスを付した前記売買注文に関する情報を前記発注データベースに記憶させる売買注文情報記憶ステップと、
前記売買注文自動発注装置が、前記注文情報受付ステップで受け付けた注文条件を、前記価格又は前記時間の少なくとも一つの条件項目を指定したトリガとしてトリガデータベースに記憶させるトリガ記憶ステップと、
前記売買注文自動発注装置が、前記トリガデータベースにトリガとして指定された条件項目を監視して、前記条件項目が前記トリガに合致したと判定すると、前記売買システムに対して、前記発注データベースに記憶された前記トリガに対応する売買注文に関する情報に付された発注処理待機のステイタスを発注処理可のステイタスに変更するための指示信号を送出する発注処理指示ステップと、
前記売買システムが、前記発注処理指示ステップにおいて送出された指示信号を受け付けると、前記発注データベースに記憶された前記売買注文に関する情報において、発注処理待機のステイタスを発注処理可のステイタスに変更するステイタス変更ステップと、
前記売買システムが、前記発注データベースに記憶された売買注文に関する情報のうち、発注処理待機のステイタスが発注処理可のステイタスに変更された売買注文にかかる注文伝票の内容を前記発注データベースから読み出して、前記注文伝票の内容に基づく売買注文を前記取引市場システムに発注する発注処理ステップと、
を有することを特徴とする売買注文の自動発注方法。
【手続補正３】
【補正対象書類名】明細書
【補正対象項目名】０００１
【補正方法】変更
【補正の内容】
【０００１】
【発明の属する技術分野】
本発明は、株式や債券などの有価証券や先物取引商品などの売買の注文を市場に自動的に発注する売買注文自動発注装置に関し、特に、インターネットや電話回線網を利用して売買の注文を市場に自動的に発注する売買注文自動発注装置及び売買注文の自動発注方法に関するものである。
【手続補正４】
【補正対象書類名】明細書
【補正対象項目名】０００５
【補正方法】変更
【補正の内容】
【０００５】
従って、本発明の目的は、株式売買注文などの執行及び管理の効率化及び大幅な事務作業の削減を行うことができ、また、特殊な条件での株式売買注文にも迅速に対応することができる売買注文自動発注装置及び売買注文の自動発注方法を提供することである。
【手続補正５】
【補正対象書類名】明細書
【補正対象項目名】０００６
【補正方法】変更
【補正の内容】
【０００６】
【課題を解決するための手段】
上記課題を解決するため、本発明の売買注文自動発注装置は、顧客から受け付けた売買条件に従って、金融商品の売買注文を前記金融商品の取引市場システムに自動発注するための売買注文自動発注装置であって、前記売買注文自動発注装置は、前記顧客が操作する顧客端末とコンピュータネットワークを通じて接続され、かつ前記売買注文を前記取引市場システムに発注する売買システム及び前記売買注文にかかる注文伝票の内容を含む前記売買注文に関する情報を記憶した発注データベースと接続されていて、前記顧客端末に表示された前記売買条件の入力画面において前記売買注文に関する必要項目として入力された、注文する金融商品の銘柄を特定する銘柄情報、注文を希望する数量として指定された注文数量、指値又は成行のいずれかの注文形態と指値を指定した場合の注文価格、が少なくとも含まれる注文内容と、前記注文入力画面において前記売買注文の発注要求の発生要因として入力された、前記金融商品の価格、時間、の少なくとも一つが指定された注文条件と、を受け付ける注文情報受付手段と、前記注文情報受付手段が受け付けた注文内容から注文伝票を作成し、前記注文伝票の内容を前記発注データベースに記憶させるために前記売買システムに送出する注文伝票送出手段と、前記注文情報受付手段が受け付けた注文条件を、前記価格又は前記時間の少なくとも一つの条件項目を指定したトリガとして記憶するトリガ記憶手段と、前記トリガ記憶手段にトリガとして指定された条件項目を監視して、前記条件項目が前記トリガに合致したと判定すると、前記売買システムに対して、前記発注データベースに記憶された前記トリガに対応する売買注文に関する情報に付された発注処理待機のステイタスを発注処理可のステイタスに変更するための指示信号を送出する発注処理指示手段と、を備えていて、前記売買システムは、前記注文伝票送出手段から受け付けた注文伝票の内容に発注処理待機のステイタスを付した前記売買注文に関する情報を前記発注データベースに記憶させ、かつ、前記売買システムは、前記発注データベースに記憶された売買注文に関する情報のうち、発注処理待機のステイタスが発注処理可のステイタスに変更された売買注文にかかる注文伝票の内容を前記発注データベースから読み出して、前記注文伝票の内容に基づく売買注文を前記取引市場システムに発注することを特徴とする。
【手続補正６】
【補正対象書類名】明細書
【補正対象項目名】０００７
【補正方法】変更
【補正の内容】
【０００７】
また、本発明の売買注文の自動発注方法は、顧客から受け付けた売買条件に従って、金融商品の売買注文を前記金融商品の取引市場システムに自動発注するための売買注文の自動発注方法であって、前記売買注文の自動発注を制御する売買注文自動発注装置は、前記顧客が操作する顧客端末とコンピュータネットワークを通じて接続され、かつ前記売買注文を前記取引市場システムに発注する売買システム及び前記売買注文にかかる注文伝票の内容を含む前記売買注文に関する情報を記憶した発注データベースと接続されていて、前記顧客端末が、前記売買条件の入力画面において前記売買注文に関する必要項目として、注文する金融商品の銘柄を特定する銘柄情報、注文を希望する数量として指定された注文数量、指値又は成行のいずれかの注文形態と指値を指定した場合の注文価格、が少なくとも含まれる注文内容の入力と、前記注文入力画面において前記売買注文の発注要求の発生要因として、前記金融商品の価格、時間、の少なくとも一つが指定された注文条件の入力と、を受け付ける注文情報入力ステップと、前記売買注文自動発注装置が、前記コンピュータネットワークを介して、前記顧客端末より前記注文内容と、前記注文条件と、を受け付ける注文情報受付ステップと、前記売買注文自動発注装置が、前記注文情報受付ステップで受け付けた注文内容から注文伝票を作成し、前記注文伝票の内容を前記発注データベースに記憶させるために前記売買システムに送出する注文伝票送出ステップと、前記売買システムが、前記注文伝票送出ステップで送出された注文伝票の内容を受け付けて、前記注文伝票の内容に発注処理待機のステイタスを付した前記売買注文に関する情報を前記発注データベースに記憶させる売買注文情報記憶ステップと、前記売買注文自動発注装置が、前記注文情報受付ステップで受け付けた注文条件を、前記価格又は前記時間の少なくとも一つの条件項目を指定したトリガとしてトリガデータベースに記憶させるトリガ記憶ステップと、前記売買注文自動発注装置が、前記トリガデータベースにトリガとして指定された条件項目を監視して、前記条件項目が前記トリガに合致したと判定すると、前記売買システムに対して、前記発注データベースに記憶された前記トリガに対応する売買注文に関する情報に付された発注処理待機のステイタスを発注処理可のステイタスに変更するための指示信号を送出する発注処理指示ステップと、前記売買システムが、前記発注処理指示ステップにおいて送出された指示信号を受け付けると、前記発注データベースに記憶された前記売買注文に関する情報において、発注処理待機のステイタスを発注処理可のステイタスに変更するステイタス変更ステップと、前記売買システムが、前記発注データベースに記憶された売買注文に関する情報のうち、発注処理待機のステイタスが発注処理可のステイタスに変更された売買注文にかかる注文伝票の内容を前記発注データベースから読み出して、前記注文伝票の内容に基づく売買注文を前記取引市場システムに発注する発注処理ステップと、を有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】